(57)【要約】本発明は、障子が閉じられた状態で窓枠と障子との隙間に流入する外風、雨水、塵埃、騒音を遮断して、室内の保温、防音機能を向上させることができる引き違い建具に関する。本発明の実施例に係る引き違い建具は、横枠と縦枠が枠組みされた四角枠状の窓枠と、前記窓枠の内側に配置される障子と、前記横枠と前記障子の上、下端部との間にそれぞれ介在し、両側に、前記横枠の室内側をカバーするための第１カバー部材、及び前記横枠の室外側をカバーするための第２カバー部材がそれぞれ延び、前記横枠に接触駆動されるように前記第１カバー部材と前記第２カバー部材との間にローラが回転可能に結合された移動フレームとを含むことを特徴とする。
2019527784.tif 000002
【特許請求の範囲】
【請求項１】
横枠と縦枠が枠組みされた四角枠状の窓枠と、
前記窓枠の内側に配置される障子と、
前記横枠と前記障子の上、下端部との間にそれぞれ介在し、両側に、前記横枠の室内側をカバーするための第１カバー部材、及び前記横枠の室外側をカバーするための第２カバー部材がそれぞれ延び、前記横枠に接触駆動されるように前記第１カバー部材と前記第２カバー部材との間にローラが回転可能に結合された移動フレームとを含むことを特徴とする、引き違い建具。
【請求項２】
前記横枠には、前記移動フレームのスライド移動時に前記第１カバー部材を案内するための案内段部が室内側に突出したことを特徴とする、請求項１に記載の引き違い建具。
【請求項３】
室内側に位置する第１レール部と室外側に位置する第２レール部とに分割された横枠と縦枠が枠組みされた四角枠状の窓枠と、
前記窓枠の内側で前記第１レール部上に配置される第１障子と、
前記窓枠の内側で前記第２レール部上に配置される第２障子と、
前記第１レール部と前記第１障子の上、下端部との間にそれぞれ介在し、両側に、前記第１レール部の室内側をカバーするための第１カバー部材、及び前記第２レール部に結束されるための第２カバー部材がそれぞれ延び、前記第１レール部に接触駆動されるように前記第１カバー部材と前記第２カバー部材との間にローラが回転可能に結合された第１移動フレームと、
前記第２レール部と前記第２障子の上、下端部との間に介在し、両側に、前記第２レール部の室内側をカバーするための第３カバー部材、及び前記第２レール部の室外側をカバーするための第４カバー部材がそれぞれ延び、前記第２レール部に接触駆動されるように前記第３カバー部材と前記第４カバー部材との間にローラが回転可能に結合された第２移動フレームとを含むことを特徴とする、引き違い建具。
【請求項４】
前記横枠は、前記第２レール部の高さが前記第１レール部の高さよりも高く形成されたことを特徴とする、請求項３に記載の引き違い建具。
【請求項５】
前記第２レール部には、室内側方向に突出して前記第１レール部に隣接するように折り曲げられた係止片が突出形成され、
前記第２カバー部材は、一直線に延びてから、前記係止片に係止されるように室外側に折り曲げられて形成されたことを特徴とする、請求項３に記載の引き違い建具。
【請求項６】
前記第１レール部には、前記第１移動フレームのスライド移動時に前記第１カバー部材を案内するための案内段部が室内側に突出したことを特徴とする、請求項３に記載の引き違い建具。
【発明の詳細な説明】
【技術分野】
【０００１】
本発明は、引き違い建具に関し、より詳細には、障子が閉じられた状態で窓枠と障子との隙間に流入する外風、雨水、塵埃、騒音を遮断して、室内の保温、防音機能を向上させることができる引き違い建具に関する。
【背景技術】
【０００２】
一般に、建具は、建物又は住宅に形成された開口部に設置され、閉鎖時に建物の内部を外部と遮断させ、開放時に換気を可能にするもので、通常、窓枠にガイド溝が複列に形成され、このガイド溝に、窓ガラスを含む第１障子と第２障子が引き違いにスライド移動するように設置される。
【０００３】
このような従来の建具の一例として、大韓民国特許公開公報第１０−２０１１−０１３３７７９号（２０１１．１２．１４．公開）には、通常の建物の壁に設置され、複列レールが備えられる窓枠と、窓ガラスが結合され、前記窓枠のレールに載置される戸車が両側のレールフレームの間に形成されたレール溝に結合され、前記両側のレールフレームの内側に形成されたＴ型の内側凹溝にモヘアが結合された障子框がスライド開閉可能に設置される障子とで構成されたスライド建具が開示されている。
【０００４】
しかし、このような従来の建具は、窓枠に障子框を嵌め込んだり、窓枠から障子框を分離できるように、窓枠の内側上端と障子框の上端との間に相当な隙間が必須的に形成されるが、このような隙間を通じて外部の風や騒音が室内に流入することがあるという問題があった。
【発明の概要】
【発明が解決しようとする課題】
【０００５】
したがって、本発明の目的は、障子が閉じられた状態で窓枠と障子との隙間に流入する外風、雨水、塵埃、騒音を遮断して、室内の保温、防音機能を向上させることができる引き違い建具を提供することである。
【課題を解決するための手段】
【０００６】
前述した本発明の目的は、横枠と縦枠が枠組みされた四角枠状の窓枠と、前記窓枠の内側に配置される障子と、前記横枠と前記障子の上、下端部との間にそれぞれ介在し、両側に、前記横枠の室内側をカバーするための第１カバー部材、及び前記横枠の室外側をカバーするための第２カバー部材がそれぞれ延び、前記横枠に接触駆動されるように前記第１カバー部材と前記第２カバー部材との間にローラが回転可能に結合された移動フレームとを含む引き違い建具を提供することによって達成される。
【０００７】
本発明の好ましい特徴によれば、前記横枠の室内側には、前記移動フレームのスライド移動時に前記第１カバー部材を案内するための案内段部が突出したものとする。
【０００８】
前述した発明の目的はまた、室内側に位置する第１レール部と室外側に位置する第２レール部とに分割された横枠と縦枠が枠組みされた四角枠状の窓枠と、前記窓枠の内側で前記第１レール部上に配置される第１障子と、前記窓枠の内側で前記第２レール部上に配置される第２障子と、前記第１レール部と前記第１障子の上、下端部との間にそれぞれ介在し、両側に、前記第１レール部の室内側をカバーするための第１カバー部材、及び前記第２レール部に結束されるための第２カバー部材がそれぞれ延び、前記第１レール部に接触駆動されるように前記第１カバー部材と前記第２カバー部材との間にローラが回転可能に結合された第１移動フレームと、前記第２レール部と前記第２障子の上、下端部との間に介在し、両側に、前記第２レール部の室内側をカバーするための第３カバー部材、及び前記第２レール部の室外側をカバーするための第４カバー部材がそれぞれ延び、前記第２レール部に接触駆動されるように前記第３カバー部材と前記第４カバー部材との間にローラが回転可能に結合された第２移動フレームとを含む引き違い建具を提供することによっても達成することができる。
【０００９】
本発明の好ましい特徴によれば、前記横枠は、前記第２レール部の高さが前記第１レール部の高さよりも高く形成されたものとする。
【００１０】
本発明の好ましい特徴によれば、前記第２レール部には、室内側方向に突出して前記第１レール部に隣接するように折り曲げられた係止片が突出形成され、前記第２カバー部材は、一直線に延びてから、前記係止片に係止されるように室外側に折り曲げられて形成されたものとする。
【００１１】
本発明の好ましい特徴によれば、前記第１レール部には、前記第１移動フレームのスライド移動時に前記第１カバー部材を案内するための案内段部が室内側に突出したものとする。
【発明の効果】
【００１２】
上述したように、本発明によれば、窓枠の室内外側をカバーする移動フレームが障子の上下端部にそれぞれ設置される構造を有することによって、窓枠に障子が、離脱なしにさらに堅固かつ安定に結合維持されることは勿論、障子が閉じられた状態では、室内に流入する外風、雨水、塵埃、騒音などを遮断して、室内の保温、防音機能を向上させる効果がある。
【図面の簡単な説明】
【００１３】
【図１】本発明の第１実施例に係る引き違い建具の概略的な斜視図である。
【図２】図１に示された引き違い建具の要部を拡大した斜視図である。
【図３】本発明の第２実施例に係る引き違い建具の概略的な斜視図である。
【図４】図３に示された引き違い建具の要部を拡大した断面斜視図である。
【発明を実施するための形態】
【００１４】
以下では、本発明の好ましい実施例を添付の図面を参照して詳細に説明するが、これは、本発明の属する技術分野における通常の知識を有する者が本発明を容易に実施できるように程度に詳細に説明するためのものであり、これによって本発明の技術的な思想及び範疇が限定されることを意味するものではない。
【００１５】
図面において、本発明を明確に説明するために説明と関係のない部分は省略し、明細書全体において類似の部分に対しては類似の図面符号を付けた。
【００１６】
また、ある部分がある構成要素を「含む」とするとき、これは、特に反対の記載がない限り、他の構成要素を除くものではなく、他の構成要素をさらに含むことができることを意味する。
【００１７】
図１には、本発明の第１実施例に係る引き違い建具の概略的な斜視図が示されており、図２には、図１に示された引き違い建具の要部を拡大した斜視図が示されている。
【００１８】
本発明の第１実施例に係る引き違い建具１００は、図１及び図２に示されたように、窓枠１１０、障子１２０及び移動フレーム１３０を含む。
【００１９】
ここで、窓枠１１０は、建物の外壁に形成された開口部に装着され、障子１２０が移動フレーム１３０によってスライド移動するようにするレールの役割を果たすもので、一対の横枠１１１と一対の縦枠１１２とが互いに枠組みされて四角枠を形成する。
【００２０】
このような窓枠１１０の横枠１１１は、通常の窓枠とは異なり、移動フレーム１３０に結合されたローラ１３３と接触する面の表面が平らに形成されることによって、清掃を簡単容易にする。
【００２１】
このとき、横枠１１１の室内側には案内段部１１１ａが突出形成され、この案内段部１１１ａは、移動フレーム１３０の第１カバー部材１３１を載置させて移動フレーム１３０のスライド移動を案内する役割を果たす。
【００２２】
そして、障子１２０は、移動フレーム１３０によって窓枠１１０の内側でスライド移動されて窓枠１１０の内部空間を開放又は閉鎖させるものであって、四角枠状の框１２１、及び該框１２１の内部に備えられるガラス１２２からなる。
【００２３】
一方、窓枠１１０の横枠１１１と障子１２０の框１２１との間には移動フレーム１３０が介在しており、この移動フレーム１３０は、框１２１の上、下端部にそれぞれ固定設置されてスライド移動する役割を果たす。
【００２４】
具体的には、移動フレーム１３０には、両側のそれぞれに、横枠１１１の室内側をカバーするための第１カバー部材１３１、及び横枠１１１の室外側をカバーするための第２カバー部材１３２が延長形成される。
【００２５】
このような第１カバー部材１３１は、横枠１１１の案内段部１１１ａに近接するように一直線に延び、第２カバー部材１３２は、横枠１１１の室外側の半分近くに位置するように一直線に延びる。このとき、第１カバー部材１３１及び第２カバー部材１３２の長さは、特に制限されず、互いに同じ長さに形成されてもよいだけでなく、互いに異なる長さに形成されてもよい。
【００２６】
これによって、移動フレーム１３０は、第１カバー部材１３１及び第２カバー部材１３２が延びて横枠１１１の室内外側をそれぞれカバーする構造を有することによって、横枠１１１上でスライド移動するとき、障子１２０が離脱するおそれがないだけでなく、障子１２０が閉じられた状態では、外風、雨水、塵埃及び騒音が室内側に流入することを二重に遮断できるという利点が生じる。
【００２７】
また、移動フレーム１３０には、一端部が第１カバー部材１３１に回転可能に結合され、他端部が第２カバー部材１３２に回転可能に結合されて横枠１１１上に接触駆動される多数のローラ１３３が一定の間隔で備えられる。
【００２８】
このようなローラ１３３の材質は、特に制限されないが、横枠１１１に接触するときに優れた接地力を有するように、ゴム又は高硬度のウレタンからなることが好ましい。
【００２９】
すると、横枠１１１との摩擦力が強化されることによって、移動フレーム１３０がスライド移動するときにローラ１３３が空回りせず、横枠１１１に密着した状態で回転することができる。
【００３０】
図３には、本発明の第２実施例に係る引き違い建具の概略的な斜視図が示されており、図４には、図３に示された引き違い建具の要部を拡大した斜視図が示されている。
【００３１】
本発明の第２実施例に係る引き違い建具２００は、図３及び図４に示されたように、窓枠２１０、第１障子２２０、第２障子２３０、第１移動フレーム２４０及び第２移動フレーム２５０を含む。
【００３２】
ここで、前記窓枠２１０は、建物の外壁に形成される開口部に装着され、第１障子２２０が第１移動フレーム２４０によってスライド移動し、第２障子２３０が第２移動フレーム２５０によってスライド移動するようにレールの役割を果たすもので、表面が平らに形成された一対の横枠２１１と一対の縦枠２１２とが互いに枠組みされて四角枠を形成する。
【００３３】
このような横枠２１１は、第１障子２２０が第１移動フレーム２４０によってスライド移動できる空間を提供するように室内側に位置する第１レール部２１１ａと、第１レール部２１１ａよりも突出形成され、第２障子２３０が第２移動フレーム２５０によってスライド移動できる空間を提供するように室外側に位置する第２レール部２１１ｂとに分割される。
【００３４】
このような第１レール部２１１ａ及び第２レール部２１１ｂは、第１及び第２移動フレーム２４０，２５０に結合されたローラ２４３，２５３と接触する面の表面が平らに形成されることによって、清掃を簡単容易にする。
【００３５】
このとき、第１レール部２１１ａの室内側には案内段部２１１ｃが突出形成される。すると、第１移動フレーム２４０のスライド移動時に第１移動フレーム２４０の第１カバー部材２４１を案内する。
【００３６】
そして、第２レール部２１１ｂの室内側には、┐状、好ましくは、室内側方向に突出して第１レール部２１１ａに隣接するように折り曲げられた係止片２１１ｄが突出形成される。
【００３７】
これによって、係止片２１１ｄは、第２移動フレーム２５０のスライド移動時に第２移動フレーム２５０の第３カバー部材２５１を案内しながら、第１移動フレーム２４０の第２カバー部材２４２と結束される。
【００３８】
前記第１障子２２０は、第１移動フレーム２４０によって第１レール部２１１ａ上でスライド移動して、窓枠１１０の内部空間の一部を開放又は閉鎖させるものであって、四角枠状の框２２１及び該框２２１の内部に備えられるガラス２２２からなる。
【００３９】
そして、前記第２障子２３０は、第１障子２２０と同様に、第２移動フレーム２５０によって第２レール部２１１ｂ上でスライド移動して、窓枠１１０の内部空間の一部を開放又は閉鎖させるものであって、四角枠状の框２３１及び該框２３１の内部に備えられるガラス２３２からなる。
【００４０】
一方、横枠２１０の第１レール部２１１ａと第１障子２２０の框２２１の上、下端部との間には、第１移動フレーム２４０がそれぞれ介在され、第１移動フレーム２４０は、框２２１の上、下端部にそれぞれ固定設置されて第１障子２２０と共にスライド移動する役割を果たす。
【００４１】
このような第１移動フレーム２４０には、両側のそれぞれに、第１レール部２１１ａの室内側をカバーするための第１カバー部材２４１、及び第２レール部２１１ｂの係止片２１１ｄに結束されるための第２カバー部材２４２が延長形成される。
【００４２】
このとき、第１カバー部材２４１は、第１レール部２１１ａの案内段部２１１ｃの近くに位置するように一直線に形成され、第２カバー部材２４２は、一直線に延びてから、係止片２１１ｄに結束されるように室外側に折り曲げられて形成される。
【００４３】
すなわち、第１移動フレーム２４０は、第１カバー部材２４１が第１レール部２１１ａの室内側をカバーし、第２カバー部材２４２が第２レール部２１１ｂにスライド移動可能に結束される構造を有することによって、第１レール部２１１ａ上で第１移動フレーム２４０がスライド移動するとき、第１障子２２０が離脱するおそれがないだけでなく、第１障子２２０が閉じられた状態では、外風、雨水、塵埃及び騒音が室内側に流入することを遮断できるようになる。
【００４４】
なお、第１移動フレーム２４０には、一端部が第１カバー部材２４１に回転可能に結合され、他端部が第２カバー部材２４２に回転可能に結合されて第１レール部２１１ａ上で接触駆動される多数のローラ２４３が一定の間隔で備えられる。
【００４５】
このようなローラ２４３は、第１移動フレーム２４０がスライド移動するときに空回りせず、第１レール部１１１ａに密着した状態で回転できるように、第１レール部１１１ａとの接地力を強化させることができるゴム又は高硬度のウレタンからなる。
【００４６】
そして、横枠２１０の第２レール部２１１ｂと第２障子２３０の框２３１の上、下端部との間には、第２移動フレーム２５０がそれぞれ介在され、第２移動フレーム２５０は、框２３１の上、下端部にそれぞれ固定設置されて第２障子２３０と共にスライド移動する役割を果たす。
【００４７】
このような第２移動フレーム２５０には、両側のそれぞれに、第２レール部２１１ｂの室内側をカバーするための第３カバー部材２５１、及び第２レール部２１１ｂの室外側をカバーするための第４カバー部材２５２が延びる。
【００４８】
このとき、第３カバー部材２４１は、第２レール部２１１ｂの室内側に突出した係止片２１１ｄに近接するように一直線に形成され、第４カバー部材２４２は、第２レール部２１１ｂの室外側の半分近くに位置するように一直線に延びる。
【００４９】
すなわち、第２移動フレーム２５０は、第３カバー部材２５１が第２レール部２１１ｂの室内側をカバーし、第４カバー部材２５２が第２レール部２１１ｂの室外側をカバーする構造を有することによって、第２レール部２１１ｂ上で第２移動フレーム２５０がスライド移動するとき、第２障子２３０が離脱するおそれがないだけでなく、第２障子２３０が閉じられた状態では、外風、雨水、塵埃及び騒音が室内側に流入することを完全に遮断できるようになる。
【００５０】
そして、第２移動フレーム２５０には、一端部が第３カバー部材２５１に回転可能に結合され、他端部が第４カバー部材２５２に回転可能に結合されて第２レール部２１１ｂ上で接触駆動される多数のローラ２５３が一定の間隔で備えられる。
【００５１】
このようなローラ２５３は、第１移動フレーム２４０に結合されたローラ２４３と同様に、第２レール部１１１ａとの接地力を強化させることができるゴム又は高硬度のウレタンからなる。
【符号の説明】
【００５２】
１００    引き違い建具        １１０    窓枠
１１１    横枠                １１１ａ  案内段部
１１２    縦枠                １２０    障子
１２１    框                  １２２    ガラス
１３０    移動フレーム        １３１    第１カバー部材
１３２    第２カバー部材      １３３    ローラ
２００    引き違い建具        ２１０    窓枠
２１１    横枠                ２１１ａ  第１ローラ部
２１１ｂ  第２ローラ部        ２１１ｃ  案内段部
２１１ｄ  係止片              ２１２    縦枠
２２０    第１障子            ２２１    框
２２２    ガラス              ２３０    第２障子
２３１    框                  ２２２    ガラス
２４０    第１移動フレーム    ２４１    第１カバー部材
２４２    第２カバー部材      ２４３    ローラ
２５０    第２移動フレーム    ２５１    第３カバー部材
２５２    第４カバー部材      ２５３    ローラ
【図１】
2019527784.tif 000003
【図２】
2019527784.tif 000004
【図３】
2019527784.tif 000005
【図４】
2019527784.tif 000006
【国際調査報告】
2019527784.tif 000007
2019527784.tif 000008
2019527784.tif 000009
2019527784.tif 000010